【事件の表示】
　特願２０１５−５３１３４７「無線通信の半永続的スケジューリングのためのシステム及び方法」拒絶査定不服審判事件〔平成２６年　４月　３日国際公開、ＷＯ２０１４／０５２４９９、平成２７年１１月１２日国内公表、特表２０１５−５３２８２２〕について、次のとおり審決する。
【結　論】
　本件審判の請求は、成り立たない。
【理　由】
第１　手続の経緯
　本願は、２０１３年（平成２５年）９月２５日（パリ条約による優先権主張外国庁受理、２０１２年９月２８日　米国、２０１２年１１月１日　米国、２０１３年６月２７日　米国）を国際出願日とする出願であって、その手続の経緯は以下のとおりである。
　平成２８年　３月２５日付け　拒絶理由通知書
　平成２８年　９月　９日　　　意見書、手続補正書の提出
　平成２９年　２月　３日付け　拒絶査定
　平成２９年　４月２４日　　　拒絶査定不服審判の請求、手続補正書の提出
　平成３０年　８月　９日付け　拒絶理由通知書（当該通知書で通知した拒絶理由を、以下「当審拒絶理由」という。）
　平成３０年１１月１４日　　　意見書、手続補正書の提出
第２　本願発明及び優先権
１．本願発明
　本願の請求項に係る発明は、平成３０年１１月１４日に提出された手続補正書により補正された特許請求の範囲の請求項１ないし８に記載された事項により特定されるものであるところ、請求項７に係る発明は、以下のとおりのものである。
「ＣｏＭＰ（coordinated　multi−point）送信のためにユーザ機器（ＵＥ）を構成し、
　第１のサブフレーム内で、ＳＰＳ（semi−persistent　scheduling）　ＲＮＴＩ（radio　network　temporary　identifier）によりスクランブリングされるＳＰＳ開始制御チャネル信号を送信し、前記ＳＰＳ開始制御チャネル信号は、ｎＳＣＩＤの値を伝達し、前記ＳＰＳ開始制御チャネルはＰＤＳＣＨリソースエレメント（resource　element：ＲＥ）マッピング及び地理的同一指示子（ＰＱＩ）の値を更に伝達し、前記ＵＥは、前記ＰＱＩの値により示される送信パラメータセットに基づき、前記ＳＰＳ　ＰＤＳＣＨを処理するよう更に構成され、
　別のサブフレーム内で、対応する制御チャネル信号を有しない共有データチャネル信号を送信し、前記共有データチャネル信号は前記第１のサブフレーム内の前記ｎＳＣＩＤの値に基づき決定される参照信号シーケンスを有するＵＥ固有参照信号を有する、
　よう構成されるｅＮＢ（Ｅ−ＵＴＲＡＮ（evolved　universal　terrestrial　radio　access　network）node　B）。」
　ここで、請求項７の２段落目には「
前記
　したがって、本願の請求項７に係る発明（以下、「本願発明」という。）は、以下のとおりのものであると認める。
「ＣｏＭＰ（coordinated　multi−point）送信のためにユーザ機器（ＵＥ）を構成し、
　第１のサブフレーム内で、ＳＰＳ（semi−persistent　scheduling）　ＲＮＴＩ（radio　network　temporary　identifier）によりスクランブリングされるＳＰＳ開始制御チャネル信号を送信し、前記ＳＰＳ開始制御チャネル信号は、ｎＳＣＩＤの値を伝達し、前記ＳＰＳ開始制御チャネルはＰＤＳＣＨリソースエレメント（resource　element：ＲＥ）マッピング及び地理的同一指示子（ＰＱＩ）の値を更に伝達し、前記ＵＥは、前記ＰＱＩの値により示される送信パラメータセットに基づき、ＳＰＳ　ＰＤＳＣＨを処理するよう更に構成され、
　別のサブフレーム内で、対応する制御チャネル信号を有しない共有データチャネル信号を送信し、前記共有データチャネル信号は前記第１のサブフレーム内の前記ｎＳＣＩＤの値に基づき決定される参照信号シーケンスを有するＵＥ固有参照信号を有する、
　よう構成されるｅＮＢ（Ｅ−ＵＴＲＡＮ（evolved　universal　terrestrial　radio　access　network）node　B）。」
２．優先権
　本願は、米国特許仮出願６１／７０７，７８４号（出願日　２０１２年９月２８日）、米国特許仮出願６１／７２１，４３６号（出願日　２０１２年１１月１日）、米国特許出願１３／９２８，７２２号（出願日　２０１３年６月２７日）を優先権の主張の基礎としているが、本願発明を特定する事項である「前記ＳＰＳ開始制御チャネルはＰＤＳＣＨリソースエレメント（resource　element：ＲＥ）マッピング及び地理的同一指示子（ＰＱＩ）の値を更に伝達し、前記ＵＥは、前記ＰＱＩの値により示される送信パラメータセットに基づき、前記ＳＰＳ　ＰＤＳＣＨを処理するよう更に構成され、」との事項は、米国特許仮出願６１／７２１，４３６号、米国特許出願１３／９２８，７２２号に記載されているものの、米国特許仮出願６１／７０７，７８４号には記載されていない。
　また、請求人からは上記事項について、米国特許仮出願６１／７０７，７８４号における具体的な記載等の根拠は何ら示されていない。
　したがって、米国特許仮出願６１／７０７，７８４号に基づく本願発明についての優先権の主張の効果は認められず、以下に検討する特許法第２９条第２項に規定する進歩性の判断の基準日は、米国特許仮出願６１／７２１，４３６号の出願日である２０１２年（平成２４年）１１月１日とする。
第３　拒絶の理由
　当審拒絶理由は、「この出願の下記の請求項に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものである。そして、本願発明は、本件補正前の請求項８に本件補正前の請求項６に記載された事項を付加したものであり、当審拒絶理由では、本件補正前の請求項８に対して、下記の９が引用されており、本件補正前の請求項６に対して、下記の９、１２が引用されており、下記の９に関連する技術常識を示すために、下記の３、１０が提示されている。
３．3GPP TS 36.211、V11.0.0、[online]、２０１２年９月１９日アップロード、インターネット＜http://www.3gpp.org/ftp/Specs/archive/36_series/36.211/36211-b00.zip＞
９．3GPP TS 36.213、V11.0.0、[online]、２０１２年９月１９日アップロード、インターネット＜http://www.3gpp.org/ftp/Specs/archive/36_series/36.213/36213-b00.zip＞
１０．3GPP TS 36.212、V11.0.0、[online]、２０１２年９月１９日アップロード、インターネット＜http://www.3gpp.org/ftp/Specs/archive/36_series/36.212/36212-b00.zip＞ 
１２．DL CoMP Rapporteur (Samsung)、RRC Parameters for Downlink CoMP、3GPP TSG RAN WG1 #70bis、R1-124669、［online］、２０１２年１０月２６日アップロード、インターネット＜http://www.3gpp.org/ftp/tsg_ran/WG1_RL1/TSGR1_70b/Docs/R1-124669.zip＞
第４　引用例等に記載された事項等及び引用発明等
１．引用例９に記載された事項
　当審拒絶理由で引用されたＬＴＥ−Ａの仕様書である3GPP TS 36.213、V11.0.0、[online]、２０１２年９月１９日アップロード、インターネット＜http://www.3gpp.org/ftp/Specs/archive/36_series/36.213/36213-b00.zip＞（以下、「引用例９」という。）には、図表とともに以下の事項が記載されている。（下線は当審が付与。）
（１）「
If a UE is configured by higher layers to decode PDCCH with CRC scrambled by the SPS C-RNTI, the UE shall decode the PDCCH on the primary cell and any corresponding PDSCH on the primary cell according to the respective combinations defined in Table 7.1-6. The same PDSCH related configuration applies in the case that a PDSCH is transmitted without a corresponding PDCCH. 
If a UE is configured by higher layers to decode EPDCCH with CRC scrambled by the SPS C-RNTI, the UE shall decode the EPDCCH on the primary cell and any corresponding PDSCH on the primary cell according to the respective combinations defined in Table 7.1-6A. The same PDSCH related configuration applies in the case that a PDSCH is transmitted without a corresponding EPDCCH. The scrambling initialization of PDSCH corresponding to these EPDCCHs and PDSCH without a corresponding EPDCCH is by SPS C-RNTI.」（３０葉）
（当審仮訳：
　
ＵＥがＳＰＳ　Ｃ−ＲＮＴＩによりスクランブルされたＣＲＣを有するＰＤＣＣＨを復号するよう、上位レイヤによって構成される場合、ＵＥは、表７．１−６に定義されたそれぞれの組み合わせに従って、プライマリセルのＰＤＣＣＨ及びプライマリセルの対応するＰＤＳＣＨを復号する。対応するＰＤＣＣＨを有しないＰＤＳＣＨが送信される場合には、同じＰＤＳＣＨ関連設定が適用される。
　ＵＥがＳＰＳ　Ｃ−ＲＮＴＩによりスクランブルされたＣＲＣを有するＥＰＤＣＣＨを復号するよう、上位レイヤによって構成される場合、ＵＥは、表７．１−６Ａに定義されたそれぞれの組み合わせに従って、プライマリセルのＥＰＤＣＣＨ及びプライマリセルの対応するＰＤＳＣＨを復号する。対応するＥＰＤＣＣＨを有しないＰＤＳＣＨが送信される場合には、同じＰＤＳＣＨ関連設定が適用される。これらのＥＰＤＣＣＨに対応するＰＤＳＣＨ及び対応するＥＰＤＣＣＨを有しないＰＤＳＣＨのスクランブルの初期化はＳＰＳ　Ｃ−ＲＮＴＩによるものである。）
（２）「
the UE shall upon detection of a PDCCH with CRC scrambled by the SPS C-RNTI with DCI format 1A or 2C, 
decode the corresponding PDSCH in the same subframe.
A UE configured in transmission mode 10 can be configured with scrambling identities, n
ID
DMRS,i
, i = 0,1 by higher layers for UE-specific reference signal generation as defined in Section 6.10.3.1 of [3] to decode PDSCH according to a detected PDCCH/EPDCCH with CRC scrambled by the SPS C-RNTI with DCI format 2C intended for the UE
　　Table 7.1-6: PDCCH and PDSCH configured by SPS C-RNTI
　　Table 7.1-6A: EPDCCH and PDSCH configured by SPS C-RNTI
」（３１−３２葉）
（当審仮訳：
　
ＵＥは、ＳＰＳ　Ｃ−ＲＮＴＩによりスクランブルされたＣＲＣを有するＤＣＩフォーマット１Ａ又は２ＣのＰＤＣＣＨを検出した時、
同じサブフレームの対応するＰＤＳＣＨを復号する。
　
送信モード１０に構成されたＵＥは、ＳＰＳ　Ｃ−ＲＮＴＩによりスクランブルされたＣＲＣを有する当該ＵＥに意図されたＤＣＩフォーマット２Ｃの検出されたＰＤＣＣＨ／ＥＰＤＣＣＨに従ってＰＤＳＣＨを復号するよう、［３］の６．１０．３．１節で定義されるＵＥ固有参照信号生成のために上位レイヤによりスクランブリングアイデンティティｎ
ＩＤ
ＤＭＲＳ，ｉ
，ｉ＝０，１が構成され得る。
表　７．１−６：ＳＰＳ　ＣＲＮＴＩによって構成されるＰＤＣＣＨ及びＰＤＳＣＨ
（表　７．１−６略）
　表　７．１−６Ａ：ＳＰＳ　ＣＲＮＴＩによって構成されるＥＰＤＣＣＨ及びＰＤＳＣＨ
（表　７．１−６Ａ略）」
２．引用例９に関連する技術常識
　当審拒絶理由で提示された、ＬＴＥ−Ａの仕様書である3GPP TS 36.212、V11.0.0、[online]、２０１２年９月１９日アップロード、インターネット＜http://www.3gpp.org/ftp/Specs/archive/36_series/36.212/36212-b00.zip＞には、図表とともに以下の事項が記載されている。（下線は当審が付与。）
「5.3.3.1.5C Format 2C
The following information is transmitted by means of the DCI format 2C:
（中略）
- Antenna port(s), scrambling identity and number of layers − 3 bits as specified in Table 5.3.3.1.5C-1 where 
n
SCID
 is the scrambling identity for antenna ports 7 and 8 defined in section 6.10.3.1 of [2]
（中略）
Table 5.3.3.1.5C-1: Antenna port(s), scrambling identity and number of layers indication
」（７０−７１葉）
（当審仮訳：
５．３．３．１．５Ｃ　フォーマット２Ｃ
　
次の情報がＤＣＩフォーマット２Ｃによって送信される：
（中略）
　−アンテナポート、スクランブリングアイデンティティ、レイヤの数　−表　５．３．３．１．５Ｃ−１で規定される３ビットであって、
ｎ
ＳＣＩＤ
は［２］の６．１０．３．１節で定義された、アンテナポート７又は８に対するスクランブリングアイデンティティである
（中略）
表　５．３．３．１．５Ｃ−１　アンテナポート、スクランブリングアイデンティティ、レイヤの数のインジケイション
（表　５．３．３．１．５Ｃ−１略）
）
　また、当審拒絶理由で提示された、ＬＴＥ−Ａの仕様書である3GPP TS 36.211、V11.0.0、[online]、２０１２年９月１９日アップロード、インターネット＜http://www.3gpp.org/ftp/Specs/archive/36_series/36.211/36211-b00.zip＞には、以下の事項が記載されている。（下線は当審が付与。）
「
6.10.3 UE-specific reference signals associated with PDSCH
（中略）
」（８１−８２葉）
（当審仮訳：
６．１０．３　ＰＤＳＣＨに関連するＵＥ固有参照信号
（中略）
　任意のアンテナポートｐ∈｛７，８，．．．，ｖ＋６｝に対して、
参照信号シーケンスｒ（ｍ）は
（数式略）
によって定義される。
　疑似ランダムシーケンスｃ（ｉ）は７．２節で定義される。
疑似ランダムシーケンス生成は、各サブフレームのスタートにおいて
（数式略）
で初期化される。
　
ｎ
ＩＤ
（ｉ）
，ｉ＝０，１の量は次で与えられる
　−ｎＩＤＤＭＲＳ，ｉの値が上位レイヤによって与えられない場合、又は、ＰＤＳＣＨの送信に関連するＤＣＩに関して、ＤＣＩフォーマット１Ａが用いられる場合は、ｎＩＤ（ｉ）＝ｎｃｅｌｌＩＤ　
　−
その他の場合は、ｎ
（ｉ）
ＩＤ
＝ｎ
ＩＤ
ＤＭＲＳ，ｉ
　特に断りがない限り、ｎＳＣＩＤの値は０である。
ポート７又は８でのＰＤＳＣＨ送信に関して、ｎ
ＳＣＩＤ
はＰＤＳＣＨ送信に関連するＤＣＩフォーマット２Ｂ又は２Ｃによって与えられる。
ＤＣＩフォーマット２Ｃの場合、ｎ
ＳＣＩＤ
は、［３］の表５．３．３．１．５Ｃ−１によって与えられる。
　ＬＴＥ−Ａの仕様書に記載された事項は、当業者における技術常識であるから、次の事項は技術常識であると認められる。
・「ＤＣＩフォーマット２ＣのＰＤＣＣＨによりｎＳＣＩＤの値を伝達する。」こと
・「ＵＥ固有参照信号の参照信号シーケンスは、ＤＣＩフォーマット２ＣのＰＤＣＣＨで与えられるｎＳＣＩＤの値を用いて、ｎＩＤＤＭＲＳ，ｉが決まることにより、決定される。」こと
３．引用発明
　引用例９に記載された事項及び当業者における技術常識からみて、以下のことがいえる。
（１）上記１．（１）、（２）の記載及び表７．１−６、７．１−６Ａによれば、ＵＥは、送信モード１０に構成される。送信モードは、ｅＮＢによって送信されるＲＲＣシグナリングにより、端末に通知されて構成されることは技術常識であって、ｅＮＢが種々のパラメータによって所望の動作を行うよう構成されるものであることも技術常識であるから、引用例９には、「送信モード１０にＵＥを構成するよう構成されるｅＮＢ」が記載されているといえる。
（２）上記１．（２）の記載によれば、ＵＥは、ＳＰＳ　Ｃ−ＲＮＴＩによりスクランブルされたＣＲＣを有するＤＣＩフォーマット２ＣのＰＤＣＣＨを検出する。ＰＤＣＣＨは、ｅＮＢがＵＥへ送信するものであることは技術常識であって、上記２．のとおり、ＤＣＩフォーマット２ＣのＰＤＣＣＨによりｎＳＣＩＤの値を伝達することも技術常識である。したがって、引用例９に記載されたｅＮＢは、「ＳＰＳ　Ｃ−ＲＮＴＩによりスクランブルされたＣＲＣを有するＰＤＣＣＨを送信し、前記ＰＤＣＣＨは、ｎＳＣＩＤの値を伝達するよう構成される」といえる。
（３）上記１．（２）の記載によれば、ＵＥは、ＳＰＳ　Ｃ−ＲＮＴＩによりスクランブルされたＣＲＣを有するＰＤＣＣＨに従って、ＰＤＳＣＨを復号する。上記１．（１）の記載によれば、対応するＰＤＣＣＨを有しないＰＤＳＣＨは、ＳＰＳ　Ｃ−ＲＮＴＩによりスクランブルされたＣＲＣを有するＰＤＣＣＨに対応するＰＤＳＣＨと同じＰＤＳＣＨ関連設定が適用されて、復号されるため、ＵＥは、ＳＰＳ　Ｃ−ＲＮＴＩによりスクランブルされたＣＲＣを有するＰＤＣＣＨに従って、対応するＰＤＣＣＨを有しないＰＤＳＣＨを復号するといえる。したがって、引用例９に記載されたＵＥは、「ＳＰＳ　Ｃ−ＲＮＴＩによりスクランブルされたＣＲＣを有するＰＤＣＣＨに従って、対応するＰＤＣＣＨを有しないＰＤＳＣＨを復号するよう更に構成される」といえる。
（４）上記１．（１）の記載によれば、対応するＰＤＣＣＨを有しないＰＤＳＣＨが送信される。ＰＤＣＣＨ及びＰＤＳＣＨがサブフレーム単位でマッピングされ、送信されることは、技術常識であるから、ＰＤＳＣＨが対応するＰＤＣＣＨを有しないのであれば、そのサブフレームにマッピングされた信号は、対応するＰＤＣＣＨを有しないといえる。したがって、引用例９に記載されたｅＮＢは、対応するＰＤＣＣＨを有しないサブフレームにマッピングされた信号を送信するといえる。そして、対応するＰＤＣＣＨを有しないサブフレームは、ＳＰＳ　Ｃ−ＲＮＴＩによりスクランブルされたＣＲＣを有するＰＤＣＣＨが送信されるサブフレームとは別のサブフレームであることは明らかである。
　また、上記１．（２）の記載によれば、ＵＥは、スクランブリングアイデンティティｎＩＤＤＭＲＳ，ｉ，ｉ＝０，１により生成されたＵＥ固有参照信号を用いて、ＰＤＳＣＨを復号することから、ｅＮＢが送信するサブフレームは、ＵＥ固有参照信号を有するといえる。
　上記２．のとおり、ＵＥ固有参照信号の参照信号シーケンスは、ＤＣＩフォーマット２ＣのＰＤＣＣＨで与えられるｎＳＣＩＤの値を用いて、ｎＩＤＤＭＲＳ，ｉ，が決まることにより、決定されることは技術常識であるから、ＵＥは、ＰＤＣＣＨのｎＳＣＩＤの値に基づき参照信号シーケンスを決定するといえる。
　上記１．（１）の記載によれば、対応するＰＤＣＣＨを有しないサブフレームでも、ＳＰＳ　Ｃ−ＲＮＴＩによりスクランブルされたＣＲＣを有するＰＤＣＣＨに対応するＰＤＳＣＨと同じＰＤＳＣＨ関連設定が適用されるから、対応するＰＤＣＣＨを有しないサブフレームについても、参照信号シーケンスを決定するｎＳＣＩＤの値は、ＳＰＳ　Ｃ−ＲＮＴＩによりスクランブルされたＣＲＣを有するＰＤＣＣＨのｎＳＣＩＤの値であるといえる。
　さらに、ＵＥ固有参照信号は、ＰＤＳＣＨを復号する際のチャネル推定に用いるものであるため、ＵＥが決定する参照信号シーケンスと同じ参照信号シーケンスを有するＵＥ固有参照信号をｅＮＢが送信することは技術常識である。
　そうすると、引用例９に記載されたｅＮＢは、「ＳＰＳ　Ｃ−ＲＮＴＩによりスクランブルされたＣＲＣを有するＰＤＣＣＨが送信されるサブフレームとは別のサブフレーム内で、対応するＰＤＣＣＨを有しないサブフレームにマッピングされた信号を送信し、前記サブフレームにマッピングされた信号はＳＰＳ　Ｃ−ＲＮＴＩによりスクランブルされたＣＲＣを有するＰＤＣＣＨのｎＳＣＩＤの値に基づき決定される参照信号シーケンスを有するＵＥ固有参照信号を有する」といえる。
　以上を総合すると、引用例９には、次の発明（以下、「引用発明」という。）が記載されていると認められる。
「送信モード１０にＵＥを構成し、
　ＳＰＳ　Ｃ−ＲＮＴＩによりスクランブルされたＣＲＣを有するＰＤＣＣＨを送信し、前記ＰＤＣＣＨは、ｎＳＣＩＤの値を伝達し、前記ＵＥは、ＳＰＳ　Ｃ−ＲＮＴＩによりスクランブルされたＣＲＣを有するＰＤＣＣＨに従って、対応するＰＤＣＣＨを有しないＰＤＳＣＨを復号するよう更に構成され、
　ＳＰＳ　Ｃ−ＲＮＴＩによりスクランブルされたＣＲＣを有するＰＤＣＣＨが送信されるサブフレームとは別のサブフレーム内で、対応するＰＤＣＣＨを有しないサブフレームにマッピングされた信号を送信し、前記サブフレームにマッピングされた信号はＳＰＳ　Ｃ−ＲＮＴＩによりスクランブルされたＣＲＣを有するＰＤＣＣＨのｎＳＣＩＤの値に基づき決定される参照信号シーケンスを有するＵＥ固有参照信号を有する、
　よう構成されるｅＮＢ。」
４．引用例１２に記載された事項
　当審拒絶理由で引用されたDL CoMP Rapporteur (Samsung)、RRC Parameters for Downlink CoMP（当審仮訳：ダウンリンクＣｏＭＰにおけるＲＲＣパラメータ）、3GPP TSG RAN WG1 #70bis、R1-124669、［online］、２０１２年１０月２６日アップロード、インターネット＜http://www.3gpp.org/ftp/tsg_ran/WG1_RL1/TSGR1_70b/Docs/R1-124669.zip＞（以下、「引用例１２」という。）には、図表とともに以下の事項が記載されている。（下線は当審が付与。）
「2.4 Downlink Control Signalling for CoMP
It was agreed that the specification would provide signalling to indicate the CRS position of at least one cell from which PDSCH transmission may occur. Additionally, it was agreed that the specification would provide signalling to indicate the quasi-colocation assumption on DMRS. 
Up to 4 sets per CC of PDSCH RE mapping and quasi-co-location parameters can be configured using RRC signalling and indicated by DCI format 2D.
Table 5. Set of PDSCH RE mapping and quasi-co-location parameters indicated by each code point in DCI format 2D.
」（４−５葉）
（当審仮訳：
　２．４　
ＣｏＭＰのためのダウンリンク制御シグナリング
　この仕様は、ＰＤＳＣＨ送信が生じ得る、少なくとも1つのセルのＣＲＳ位置を示すためのシグナリングを提供することが合意された。さらに、この仕様は、ＤＭＲＳのｑｕａｓｉ−ｃｏ−ｌｏｃａｔｉｏｎアサンプションを示すためのシグナリングを提供することが合意された。
ＰＤＳＣＨ　ＲＥ　ｍａｐｐｉｎｇ及びｑｕａｓｉ−ｃｏ−ｌｏｃａｔｉｏｎのパラメータのＣＣあたり最大４つのセットがＲＲＣシグナリングを用いて構成され、ＤＣＩフォーマット２Ｄにより示される。
表５．ＤＣＩフォーマット２Ｄの各コードポイントにより示されるＰＤＳＣＨ　ＲＥ　ｍａｐｐｉｎｇ及びｑｕａｓｉ−ｃｏ−ｌｏｃａｔｉｏｎのパラメータセット
（表５略）
 ）
５．公知技術
　引用例１２に記載された事項及び当業者における技術常識からみて、引用例１２には、次の技術（以下、「公知技術」という。）が記載されていると認められる。
「ＣｏＭＰのためのダウンリンク制御シグナリングに係る技術であって、ＲＲＣシグナリングにより、ＰＤＳＣＨを復号するためのＰＤＳＣＨ　ＲＥ　ｍａｐｐｉｎｇ及びｑｕａｓｉ−ｃｏ−ｌｏｃａｔｉｏｎのパラメータセットを複数構成し、ＤＣＩフォーマット２Ｄにより、そのうちのいずれかのパラメータセットを示す。」
第５　対比及び判断
　本願発明と引用発明とを対比すると、以下のとおりとなる。
１．引用発明の「送信モード１０」は、ＣｏＭＰ送信のための送信モードであることは当業者における技術常識である。したがって、引用発明の「送信モード１０にＵＥを構成」することは、「ＣｏＭＰ（coordinated　multi−point）送信のためにユーザ機器（ＵＥ）を構成」するといえる。
２．引用発明の「ＳＰＳ　Ｃ−ＲＮＴＩ」は、本願発明の「ＳＰＳ（semi−persistent　scheduling）　ＲＮＴＩ（radio　network　temporary　identifier）」に含まれる。また、ＳＰＳ　Ｃ−ＲＮＴＩによりスクランブルされたＣＲＣを有するＰＤＣＣＨは所定の周期で送信されるものであって、そのＳＰＳ　Ｃ−ＲＮＴＩによりスクランブルされたＣＲＣを有する最初のＰＤＣＣＨにより、ＳＰＳの開始が指示されることは技術常識であるから、引用発明の「ＳＰＳ　Ｃ−ＲＮＴＩによりスクランブルされたＣＲＣを有するＰＤＣＣＨ」のうち、最初のＰＤＣＣＨは、本願発明の「ＳＰＳ（semi−persistent　scheduling）　ＲＮＴＩ（radio　network　temporary　identifier）によりスクランブリングされるＳＰＳ開始制御チャネル信号」に相当する。さらに、ＰＤＣＣＨがサブフレーム単位でマッピングされ、送信されることは当業者における技術常識であるから、最初のＰＤＣＣＨは、第１のサブフレーム内といえる。したがって、引用発明の「ＳＰＳ　Ｃ−ＲＮＴＩによりスクランブルされたＣＲＣを有するＰＤＣＣＨを送信し、前記ＰＤＣＣＨは、ｎＳＣＩＤの値を伝達」することは、「第１のサブフレーム内で、ＳＰＳ（semi−persistent　scheduling）　ＲＮＴＩ（radio　network　temporary　identifier）によりスクランブリングされるＳＰＳ開始制御チャネル信号を送信し、前記ＳＰＳ開始制御チャネル信号は、ｎＳＣＩＤの値を伝達」する点で本願発明と共通する。
３．本願の発明の詳細な説明の段落【００７０】の記載によれば、本願発明の「ＳＰＳ　ＰＤＳＣＨ」は、「ＳＰＳ　ＰＤＳＣＨ（つまり、対応するＰＤＣＣＨ／ＥＰＤＣＣＨを有しないＰＤＳＣＨ）」を含むから、引用発明の「ＳＰＳ　Ｃ−ＲＮＴＩによりスクランブルされたＣＲＣを有するＰＤＣＣＨに従って、対応するＰＤＣＣＨを有しないＰＤＳＣＨを復号する」の「対応するＰＤＣＣＨを有しないＰＤＳＣＨ」は、本願発明の「ＳＰＳ　ＰＤＳＣＨ」に含まれる。
　また、本願の発明の詳細な説明の段落【０１０５】の記載によれば、本願発明の「前記ＳＰＳ　ＰＤＳＣＨを処理する」ことは、「ＰＱＩ値を伝達するＳＰＳ　ＰＤＳＣＨに対応する制御信号が受信されなくても、
ＵＥ１０２はＳＰＳ　ＰＤＳＣＨの中のデータを読み出す
　したがって、本願発明の「前記ＵＥは、前記ＰＱＩの値により示される送信パラメータセットに基づき、前記ＳＰＳ　ＰＤＳＣＨを処理するよう更に構成され」ることと、引用発明の「前記ＵＥは、ＳＰＳ　Ｃ−ＲＮＴＩによりスクランブルされたＣＲＣを有するＰＤＣＣＨに従って、対応するＰＤＣＣＨを有しないＰＤＳＣＨを復号するよう更に構成され」ることは、「前記ＵＥは、前記ＳＰＳ開始制御チャネルに基づき、ＳＰＳ　ＰＤＳＣＨを処理するよう更に構成され」る点で共通している。
４．本願発明の「別のサブフレーム内」が、「第１のサブフレーム」とは「別のサブフレーム内」を意味することは明らかである。また、本願発明の「共有データチャネル信号」は「ＵＥ固有参照信号を有する」ものであり、本願の発明の詳細な説明の「用語ＰＤＳＣＨは、ＰＤＳＣＨデータのような物理層データを有するリソースエレメント３０８及び／又は
サブフレーム３０２にマッピングされる任意の信号を広義に意味する。
　また、引用発明の「ＳＰＳ　Ｃ−ＲＮＴＩによりスクランブルされたＣＲＣを有するＰＤＣＣＨのｎＳＣＩＤの値」は、本願発明の「前記第１のサブフレーム内の前記ｎＳＣＩＤの値」に相当する。
　したがって、引用発明の「ＳＰＳ　Ｃ−ＲＮＴＩによりスクランブルされたＣＲＣを有するＰＤＣＣＨが送信されるサブフレームとは別のサブフレーム内で、対応するＰＤＣＣＨを有しないサブフレームにマッピングされた信号を送信し、前記サブフレームにマッピングされた信号はＳＰＳ　Ｃ−ＲＮＴＩによりスクランブルされたＣＲＣを有するＰＤＣＣＨのｎＳＣＩＤの値に基づき決定される参照信号シーケンスを有するＵＥ固有参照信号を有する」ことは、「別のサブフレーム内で、対応する制御チャネル信号を有しない共有データチャネル信号を送信し、前記共有データチャネル信号は前記第１のサブフレーム内の前記ｎＳＣＩＤの値に基づき決定される参照信号シーケンスを有するＵＥ固有参照信号を有する」点で本願発明と共通する。
５．引用発明の「ｅＮＢ」は、「ｅＮＢ（Ｅ−ＵＴＲＡＮ（evolved　universal　terrestrial　radio　access　network）node　B）」といえる。
　以上のことから、本願発明と引用発明との一致点及び相違点は、次のとおりである。
（一致点）
「ＣｏＭＰ（coordinated　multi−point）送信のためにユーザ機器（ＵＥ）を構成し、
　第１のサブフレーム内で、ＳＰＳ（semi−persistent　scheduling）　ＲＮＴＩ（radio　network　temporary　identifier）によりスクランブリングされるＳＰＳ開始制御チャネル信号を送信し、前記ＳＰＳ開始制御チャネル信号は、ｎＳＣＩＤの値を伝達し、前記ＵＥは、前記ＳＰＳ開始制御チャネルに基づき、ＳＰＳ　ＰＤＳＣＨを処理するよう更に構成され、
　別のサブフレーム内で、対応する制御チャネル信号を有しない共有データチャネル信号を送信し、前記共有データチャネル信号は前記第１のサブフレーム内の前記ｎＳＣＩＤの値に基づき決定される参照信号シーケンスを有するＵＥ固有参照信号を有する、
　よう構成されるｅＮＢ（Ｅ−ＵＴＲＡＮ（evolved　universal　terrestrial　radio　access　network）node　B）。」
（相違点）
　本願発明は、更に「前記ＳＰＳ開始制御チャネルはＰＤＳＣＨリソースエレメント（resource　element：ＲＥ）マッピング及び地理的同一指示子（ＰＱＩ）の値を更に伝達し、前記ＵＥは、前記ＰＱＩの値により示される送信パラメータセットに基づき、前記ＳＰＳ　ＰＤＳＣＨを処理するよう更に構成され」との発明特定事項を有しているのに対し、引用発明は、当該発明特定事項を有していない点
　以下、相違点について検討する。
　上記「第４」の「５．公知技術」で認定したとおり、「ＣｏＭＰのためのダウンリンク制御シグナリングに係る技術であって、ＲＲＣシグナリングにより、ＰＤＳＣＨを復号するためのＰＤＳＣＨ　ＲＥ　ｍａｐｐｉｎｇ及びｑｕａｓｉ−ｃｏ−ｌｏｃａｔｉｏｎのパラメータセットを複数構成し、ＤＣＩフォーマット２Ｄにより、そのうちのいずれかのパラメータセットを示す。」ことは、公知技術であって、引用発明はＣｏＭＰの技術であるから、引用発明に、公知技術を適用することに格別の困難性はなく、阻害要因も見出せない。
　したがって、引用発明に、公知技術を適用し、ＰＤＣＣＨのＤＣＩに、ＰＤＳＣＨ　ＲＥ　ｍａｐｐｉｎｇ及びｑｕａｓｉ−ｃｏ−ｌｏｃａｔｉｏｎのパラメータセットを示す値を追加し、ＵＥがその値により示されるＰＤＳＣＨ　ＲＥ　ｍａｐｐｉｎｇ及びｑｕａｓｉ−ｃｏ−ｌｏｃａｔｉｏｎのパラメータセットに基づき、対応するＰＤＣＣＨを有しないＰＤＳＣＨを復号して、本願発明の構成とすることは、当業者が適宜なし得ることである。
　また、本願発明の作用効果も、引用発明及び公知技術の奏する作用効果から当業者が予測し得る範囲内のものである。
　そうすると、本願発明は、引用発明及び公知技術に基いて、当業者が容易に発明をすることができたものであるといえる。
第６　むすび
　以上のとおり，本願発明は，特許法第２９条第２項の規定により特許を受けることができないから，他の請求項に係る発明について検討するまでもなく，本願は拒絶されるべきものである。
　よって，結論のとおり審決する。